(57)【要約】【課題】本発明は、安定した導通を確保することができるスイッチ構造を提供する。【解決手段】スイッチ構造１は、スイッチノブ２と、バルブＶの光を車内に透過するレンズ３と、バルブＶ側と不図示の電源側とに接続されたバスバ４と、スイッチノブ２に向かって凸に形成された凸部５と、を備えて構成され、導通部２２は、バルブ側バスバ４１ａと当接して接続するバルブ側当接部２２１と、電源側バスバ４１ｂと当接して接続する電源側当接部２２２と、を有して形成され、導通部２２は、操作部２１に取り付けられた状態において、操作部２１に対して押込方向Ｚに進退可能、かつ、揺動方向Ｙに揺動可能に設けられ、スイッチノブ２の揺動に伴ってバスバ４に摺接される。【選択図】図６
2015118839.tif 000002
【特許請求の範囲】
【請求項１】
電源側及び機器側にそれぞれ接続された一対のバスバと、前記一対のバスバを導通させるＯＮ位置と導通を解除するＯＦＦ位置とに亘って揺動自在に設けられたスイッチノブと、を備え、
前記スイッチノブは、前記ＯＮ位置と前記ＯＦＦ位置とを切り替えるために押し込み操作される操作部と、前記操作部が操作される押込方向に沿って前記一対のバスバに対して押圧されるとともに、前記一対のバスバに当接することにより前記一対のバスバ間を導通可能な導通部と、該導通部を前記押込方向に向かう付勢状態で支持する付勢手段と、を有して構成され、
前記導通部は、前記一対のバスバに当接する当接部と、該当接部に連なって前記操作部の内側に延びた延設部と、を有して形成され、前記操作部に対して、押込方向に進退可能、かつ、前記操作部の揺動方向に揺動可能に設けられるとともに、前記スイッチノブの揺動に伴って前記バスバに摺接されることを特徴とするスイッチ構造。
【請求項２】
前記バスバ、又は、該バスバを収容するハウジングには、前記導通部に向かって凸に形成された凸部が設けられ、
前記当接部には、前記ＯＮ位置と前記ＯＦＦ位置とが切り替えられる際に、前記凸部を乗り越える山部が設けられていることを特徴とする請求項１に記載のスイッチ構造。
【請求項３】
前記操作部には、前記押込方向に沿った側壁と、該側壁を貫通する貫通孔と、が設けられ、
前記延設部には、前記貫通孔内に突出する係止片が設けられ、
前記貫通孔に前記係止片が係止されることで前記導通部が前記操作部に取り付けられていることを特徴とする請求項１又は２に記載のスイッチ構造。
【発明の詳細な説明】
【技術分野】
【０００１】
本発明は、電源側と機器側とにそれぞれ接続された一対のバスバ間を導通させるＯＮ位置と導通を解除するＯＦＦ位置とを切り替えるスイッチ構造に関する。
【背景技術】
【０００２】
従来、車両には、室内照明灯等の電気機器が設けられており、例えば室内照明灯を点灯及び消灯するためのスイッチ構造が種々提案されている（例えば、特許文献１参照）。
【０００３】
特許文献１に記載の車両用室内照明灯は、スイッチノブと、スイッチノブを揺動自在に支持するスイッチレバーと、ハウジングと、を備えて構成され、スイッチレバーは、スイッチノブが操作されて揺動することにより、ハウジングに収容されたバスバと接触する導電性の接点を有し、接点は、スイッチノブが操作される方向と直交する方向に沿って設けられたばねによりバスバ側に付勢され、接点とバスバとが対向した際に当接して導通させるようになっている。
【先行技術文献】
【特許文献】
【０００４】
【特許文献１】特開２００８−９１２１２号公報
【発明の概要】
【発明が解決しようとする課題】
【０００５】
しかしながら、特許文献１に記載の従来のスイッチ構造は、接点及びバスバの表面において、徐々に酸化被膜が形成され、酸化被膜が形成された部分は導電性が低くなるため、長期間使用している場合に、接点とバスバとの間の導通が不安定になりやすいという問題があった。
【０００６】
従って、本発明は、上記のような問題点に着目し、安定した導通を確保することができるスイッチ構造を提供することを目的とする。
【課題を解決するための手段】
【０００７】
上記課題を解決するために、本発明のスイッチ構造は、電源側及び機器側にそれぞれ接続された一対のバスバと、前記一対のバスバを導通させるＯＮ位置と導通を解除するＯＦＦ位置とに亘って揺動自在に設けられたスイッチノブと、を備え、前記スイッチノブは、前記ＯＮ位置と前記ＯＦＦ位置とを切り替えるために押し込み操作される操作部と、前記操作部が操作される押込方向に沿って前記一対のバスバに対して押圧されるとともに、前記一対のバスバに当接することにより前記一対のバスバ間を導通可能な導通部と、該導通部を前記押込方向に向かう付勢状態で支持する付勢手段と、を有して構成され、前記導通部は、前記一対のバスバに当接する当接部と、該当接部に連なって前記操作部の内側に延びた延設部と、を有して形成され、前記操作部に対して、押込方向に進退可能、かつ、前記操作部の揺動方向に揺動可能に設けられるとともに、前記スイッチノブの揺動に伴って前記バスバに摺接されることを特徴とする。
【０００８】
本発明によれば、導通部は、操作部に対して操作部の揺動方向に揺動可能に構成されていることから、ＯＮ位置とＯＦＦ位置とが切り替えられる際に、操作部が揺動するとともに、この揺動角度よりも大きな角度で導通部が揺動することになり、導通部がバスバに当接する範囲がより広くなる。また、導通部は押込方向に付勢され、スイッチノブの揺動に伴ってバスバに摺接されることから、当接部とバスバとが当接する位置に酸化被膜が形成されても、スイッチノブのＯＮ位置とＯＦＦ位置とが切り替えられる度に、形成された酸化被膜が擦られることにより、酸化被膜を除去することができる。従って、広い範囲の酸化被膜を除去することができ、導通の安定性を維持することができる。
【０００９】
また、請求項１に記載のスイッチ構造において、前記バスバ、又は、該バスバを収容するハウジングには、前記導通部に向かって凸に形成された凸部が設けられ、前記当接部には、前記ＯＮ位置と前記ＯＦＦ位置とが切り替えられる際に、前記凸部を乗り越える山部が設けられていることが好ましい。
【００１０】
このような構成によれば、バスバ又はバスバを収容するハウジングには導通部に向かって凸に形成された凸部が設けられていることから、ＯＮ位置とＯＦＦ位置とが切り替えられる際に、山部が凸部を乗り越えることにより、付勢手段の復元力が大きくなる。従って、ＯＮ位置とＯＦＦ位置とが切り替えられる際に、操作部の揺動動作と付勢手段の復元力とにより、導通部の操作部に対する揺動方向をより確実に切り替えることができる。
【００１１】
また、請求項１又は２に記載のスイッチ構造において、前記操作部には、前記押込方向に沿った側壁と、該側壁を貫通する貫通孔と、が設けられ、前記延設部には、前記貫通孔内に突出する係止片が設けられ、前記貫通孔に前記係止片が係止されることで前記導通部が前記操作部に取り付けられていることが好ましい。
【００１２】
このような構成によれば、操作部の貫通孔に延設部の係止片が係止されることで導通部が操作部に取り付けられていることから、操作部に対して導通部が揺動しても、導通部が操作部から外れることを防止することができる。
【発明の効果】
【００１３】
以上のような本発明のスイッチ構造によれば、導通部がバスバに当接する範囲がより広くなるとともに、導通部がバスバに摺接されることから、スイッチノブの操作の度に、当接部及びバスバに形成された酸化被膜を広い範囲で除去することができ、導通の安定性を維持することができる。
【図面の簡単な説明】
【００１４】
【図１】本発明の一実施形態に係るスイッチ構造を示す斜視図である。
【図２】前記スイッチ構造を示す分解斜視図である。
【図３】図２の矢視ＩＩＩ−ＩＩＩ線断面における前記スイッチ構造のバスバを示す平面図である。
【図４】前記スイッチ構造におけるスイッチノブを示す図２の矢視ＩＶ−ＩＶ線断面図である。
【図５】前記導通部の揺動方向への動きを示す断面図である。
【図６】図１の矢視ＶＩ−ＶＩ線断面における前記スイッチ構造の動きを示す図であり、（ａ）はＯＦＦ位置を示す図であり、（ｂ）は導通部が凸部を乗り越えるときの状態を示す図である。
【図７】図１の矢視ＶＩ−ＶＩ線断面における前記スイッチ構造において、導通部が凸部を乗り越えてＯＮ位置に切り替えられるときの動きを示す図である。
【図８】前記スイッチ構造のＯＮ位置における要部を示す拡大図である。
【発明を実施するための形態】
【００１５】
以下、本発明の一実施形態を図１〜８を参照して説明する。本実施形態のスイッチ構造１は、例えば、車両の室内照明灯において、電源側コネクタＰと接続されるハウジングＨに組み付けられたバルブＶの点灯状態と消灯状態とを切り替えるスイッチ構造として用いられる。図１に示すように、スイッチ構造１は、スイッチノブ２と、バルブＶの光を車内に透過するレンズ３と、バルブＶ側と不図示の電源側とに接続されたバスバ４と、を備えて構成されている。
【００１６】
本実施形態において、バスバ４が導通されるときのスイッチノブ２の位置をＯＮ位置とし、バスバ４の導通が解除されるときのスイッチノブ２の位置をＯＦＦ位置とする。スイッチノブ２がＯＮ位置に移動すると、バルブＶは点灯状態となり、スイッチノブ２がＯＦＦ位置に移動すると、バルブＶは消灯状態となる。なお、本実施形態において、図１に示すように、バスバ４の長手方向を長手方向Ｘとし、矢印Ｘで示す。また、スイッチノブ２の揺動方向を揺動方向Ｙとし、矢印Ｙで示す。揺動方向Ｙにおいて、図１の奥側を一方側とし、図１の手前側を他方側とする。また、スイッチノブ２が押し込み操作される方向を押込方向Ｚとし、矢印Ｚで示す。矢印Ｚにおける上下は、図１を基準とする。
【００１７】
ハウジングＨは、樹脂材料を用いて形成され、スイッチ構造１が組み付けられた状態において、バスバ４及びバルブＶを保持している。また、ハウジングＨには、後述するバスバ４の第一バスバ４１と第二バスバ４２との間に設けられ、第一バスバ４１及び第二バスバ４２の上側の面よりも押込方向Ｚ上側に向かって凸に形成された凸部５が形成されている。
【００１８】
レンズ３は、光を透過する樹脂素材等を用いて形成され、押込方向Ｚ上側から下側に亘って開口するとともに、スイッチノブ２の後述する操作部２１が組み付けられる組付部３１と、組付部３１内に設けられて操作部２１の後述する揺動軸２１４を受け入れる軸受溝３２と、を有して構成されている。
【００１９】
バスバ４は、図３に示すように、ハウジングＨに収容され、電源側コネクタＰを介して不図示の電源の負極側とバルブＶとを接続する第一バスバ４１と、電源側コネクタＰを介して不図示の電源の正極側とバルブＶとを接続する第二バスバ４２と、を有して構成されている。第一バスバ４１は、後述するバルブ側導通部２４に接続するバルブ側バスバ４１ａと、後述する電源側導通部２５に接続する電源側バスバ４１ｂと、バルブ側バスバ４１ａと電源側バスバ４１ｂとを連結する連結部４１ｃと、を有して構成されている。連結部４１ｃは、第一バスバ４１がハウジングＨに組み付けられた後に、バルブ側バスバ４１ａ及び電源側バスバ４１ｂから切り離され、バルブ側バスバ４１ａと電源側バスバ４１ｂとは離隔される。
【００２０】
スイッチノブ２は、ＯＮ位置とＯＦＦ位置とを切り替えるために押し込み操作される操作部２１と、押込方向Ｚに沿ってバスバ４に押圧されるとともに、一対のバスバ４に当接可能に設けられた導通部２２と、導通部２２を操作部２１に対して押込方向Ｚに沿って進退自在、かつ、押込方向Ｚに向かう付勢状態で支持するばね２３と、を有して構成されている。
【００２１】
操作部２１は、押し込み操作される操作面部２１１と、揺動方向Ｙに一対設けられて押込方向Ｚに沿って延びる側壁２１２と、側壁２１２を貫通する貫通孔２１３と、操作部２１を揺動方向Ｙに揺動させるための揺動軸２１４と、ばね２３の収縮方向が押込方向Ｚとなるようにばね２３を支持するばね支持部２１５と、を有して形成されている。貫通孔２１３に導通部２２の係止片２２３ａが係止されることにより、操作部２１に導通部２２が取り付けられる。また、図２に示すように、貫通孔２１３は押込方向Ｚに沿った長孔に形成されている。
【００２２】
導通部２２は、バルブ側バスバ４１ａと当接して接続するバルブ側当接部２２１と、電源側バスバ４１ｂと当接して接続する電源側当接部２２２と、バルブ側当接部２２１及び電源側当接部２２２からＺ方向上側に連なって設けられた一方側延設部２２３及び他方側延設部２２４と、を有して形成されている。バルブ側当接部２２１と電源側当接部２２２とは、長手方向Ｘに沿って並んで設けられている。また、一方側延設部２２３は揺動方向Ｙの一方側に設けられ、他方側延設部２２４は揺動方向Ｙの他方側に設けられており、一方側延設部２２３と他方側延設部２２４とは、揺動方向Ｙに沿って対向して設けられている。図４（ａ），（ｂ）に示すように、操作部２１に取り付けられた状態において、導通部２２は操作部２１に対して押込方向Ｚに進退可能に設けられている。
【００２３】
バルブ側当接部２２１は、押込方向Ｚ下側に突出するバルブ側山部２２１ａと、バルブ側山部２２１ａから揺動方向Ｙに沿って互いに離れる方向かつ押込方向Ｚ上側に延びて一方側延設部２２３及び他方側延設部２２４に連なる一対のバルブ側傾斜面部２２１ｂと、を有して構成されている。電源側当接部２２２は、押込方向Ｚ下側に突出する電源側山部２２２ａと、電源側山部２２２ａから揺動方向Ｙに沿って互いに離れる方向かつ押込方向Ｚ上側に延びて一方側延設部２２３及び他方側延設部２２４に連なる一対の電源側傾斜面部２２２ｂと、を有して構成されている。バルブ側山部２２１ａ及び電源側山部２２２ａの押込方向Ｚ下側の面は、スイッチノブ２がＯＮ位置とＯＦＦ位置との間を移動する際に、ＯＮ位置においてはバルブ側バスバ４１ａ及び電源側バスバ４１ｂにそれぞれ摺接し、ＯＦＦ位置においては第二バスバ４２に摺接する。また、バルブ側山部２２１ａ及び電源側山部２２２ａは、スイッチノブ２のＯＮ位置とＯＦＦ位置とが切り替えられるときに、凸部５を乗り越えるように設けられている。
【００２４】
一方側延設部２２３及び他方側延設部２２４の中途には、それぞれ、押込方向Ｚ上側に向かって切欠いて一方側延設部２２３及び他方側延設部２２４の対向方向外側に開くように屈曲された係止片２２３ａ，２２４ａが形成されている。一方側延設部２２３及び他方側延設部２２４の上端部には、それぞれ、一方側延設部２２３及び他方側延設部２２４の対向方向外側に向かって凸に湾曲して形成された湾曲部２２３ｂ，２２４ｂが形成されている。操作部２１に導通部２２が取り付けられた状態において、図５に示すように、係止片２２３ａ，２２４ａは操作部２１の貫通孔２１３に挿通され、湾曲部２２３ｂ，２２４ｂは操作部２１の側壁２１２の内側の面に当接可能に設けられている。また、図４，５に示すように、一方側延設部２２３と他方側延設部２２４との外面間の距離は、操作部２１の揺動方向Ｙに一対設けられた側壁２１２の間の内面間の距離よりも短いため、導通部２２は操作部２１に対して揺動方向Ｙに揺動することができる。
【００２５】
次に、スイッチ構造１の組み付け方法の一例について、図１，２を参照して説明する。まず、スイッチノブ２の操作部２１のばね支持部２１５にばね２３を挿通させ、操作部２１の貫通孔２１３に導通部２２の係止片２２３ａ，２２４ａを挿通させて係止させることにより、操作部２１に導通部２２を取り付ける。続いて、このスイッチノブ２をレンズ３の組付部３１に挿通させ、操作部２１の揺動軸２１４をレンズ３の軸受溝３２に嵌合させる。以上により、スイッチノブ２が揺動自在に支持される。次に、ハウジングＨのバルブ側端部（図２に示す左手前側）から第一バスバ４１及び第二バスバ４２を組み付け、第一バスバ４１の連結部４１ｃを切り離す。続いて、バスバ４が取り付けられたハウジングＨのバルブ側端部にバルブＶを組み付ける。このようなハウジングＨをスイッチノブ２が組み付けられたレンズ３に嵌合し、ハウジングＨ側からカバーＣを取り付けて、ハウジングＨの電源側端部（図２に示す右奥側）に不図示の電源と接続される電源側コネクタＰを接続して、図１のように組み付けが完了する。
【００２６】
次に、スイッチノブ２のＯＦＦ位置及びＯＮ位置におけるスイッチノブ２及びバスバ４の状態について、図６，７を参照して説明する。ＯＦＦ位置においては、図６（ａ）に示すように、操作部２１及び導通部２２が揺動方向Ｙの他方側に揺動して、バルブ側山部２２１ａ及び電源側山部２２２ａが第二バスバ４２と当接して、第一バスバ４１のバルブ側バスバ４１ａと電源側バスバ４２ａとが離隔することにより、導通が解除されている。ＯＮ位置においては、図７（ｃ）に示すように、操作部２１及び導通部２２が揺動方向Ｙの一方側に揺動して、バルブ側山部２２１ａがバルブ側バスバ４１ａに当接し、電源側山部２２２ａが電源側バスバ４１ｂに当接することにより、バルブ側バスバ４１ａと電源側バスバ４２ａとが導通される。
【００２７】
次に、スイッチノブ２のＯＦＦ位置とＯＮ位置とが切り替えられる際のスイッチノブ２の動作について説明する。図６，７はＯＦＦ位置からＯＮ位置に切り替えられる際のスイッチノブ２の動作を示す図であり、スイッチノブ２は、最も揺動方向Ｙの他方側に揺動した図６（ａ）の状態から、図６（ｂ），図７（ａ），図７（ｂ），最も揺動方向Ｙの一方側に揺動した図７（ｃ）の状態の順に動作する。スイッチノブ２がＯＦＦ位置からＯＮ位置に切り替えられる際には、操作面部２１１の揺動方向Ｙの他方側が押込操作され、スイッチノブ２の操作部２１が揺動方向Ｙの一方側に揺動し、操作部２１の揺動に伴って導通部２２が揺動方向Ｙの一方側に揺動する。スイッチノブ２がＯＮ位置からＯＦＦ位置に切り替えられる際には、操作面部２１１の揺動方向Ｙの一方側が押込操作され、スイッチノブ２の操作部２１が揺動方向Ｙの他方側に揺動し、操作部２１の揺動に伴って導通部２２が揺動方向Ｙの他方側に揺動する。
【００２８】
操作部２１の揺動に伴って導通部２２が揺動することにより、ＯＮ位置においては、導通部２２のバルブ側山部２２１ａとバルブ側バスバ４１ａとが摺接し、電源側山部２２２ａと電源側バスバ４１ｂとが摺接し、ＯＦＦ位置においては、バルブ側山部２２１ａ及び電源側山部２２２ａと第二バスバ４２とが摺接する。
【００２９】
図８は、ＯＮ位置において、電源側山部２２２ａと電源側バスバ４１ｂとが摺接する範囲を示す図である。電源側山部２２２ａと電源側バスバ４１ｂとは、電源側山部２２２ａが凸部５を乗り越えて電源側バスバ４１ｂと当接する点（図８に示す点Ａ）から導通部２２が揺動方向Ｙの一方側に最も揺動したときに電源側バスバ４１ｂと当接する点（図８に示す点Ｂ）までの範囲において摺接する。
【００３０】
また、ＯＦＦ位置とＯＮ位置とが切り替えられる途中において、バルブ側山部２２１ａ及び電源側山部２２２ａが凸部５を乗り越える際に、図６（ｂ），図７（ａ）に示すように、導通部２２が操作部２１側に移動してばね２３を収縮させることにより、ばね２３による押圧力が強くなり、バルブ側山部２２１ａ及び電源側山部２２２ａとバルブ側バスバ４１ａ、電源側バスバ４１ｂ及び第二バスバ４２と、とが強く摺接する。
【００３１】
次に、導通部２２が操作部２１に対して揺動する動作について説明する。図６（ａ），（ｂ）に示すように、ＯＦＦ位置から導通部２２のバルブ側山部２２１ａ及び電源側山部２２２ａが凸部５を乗り越えるまでの間は、導通部２２が操作部２１に対して揺動方向Ｙの他方側に揺動して、一方側延設部２２３の湾曲部２２３ｂ及び他方側延設部２２４の下端が操作部２１の側壁２１２の内側の面に当接する。さらにスイッチノブ２が揺動方向Ｙの一方側に揺動してバルブ側山部２２１ａ及び電源側山部２２２ａが凸部５を乗り越えるときに、図７（ａ），（ｂ）に示すように、ばね２３の復元力及び操作部２１の揺動方向Ｙの一方側への揺動動作により、導通部２２が操作部２１に対して揺動方向Ｙの一方側に揺動して、一方側延設部２２３の下端部及び他方側延設部２２４の湾曲部２２４ｂが操作部２１の側壁２１２の内側の面に当接する。ＯＮ位置からＯＦＦ位置に切り替えられる際には、バルブ側山部２２１ａ及び電源側山部２２２ａが凸部５を乗り越えるときに、導通部２２が操作部２１に対して揺動方向Ｙの他方側に揺動する。以上のように、導通部２２が操作部２１に対して揺動方向Ｙに揺動することにより、操作部２１よりも導通部２２が揺動する角度が大きくなる。
【００３２】
以上のような本実施形態によれば、導通部２２は、操作部２１に対して揺動方向Ｙに揺動可能に構成されていることから、ＯＮ位置とＯＦＦ位置とが切り替えられる際に、操作部２１の揺動角度よりも大きな角度で導通部２２が揺動することになり、導通部２２のバルブ側山部２２１ａ及び電源側山部２２２ａがバスバ４に当接する範囲がより広くなる。また、導通部２２は、ばね２３により押込方向Ｚに付勢され、スイッチノブ２の揺動に伴ってバスバ４に摺接されることから、導通部２２のバルブ側山部２２１ａ及び電源側山部２２２ａとバスバ４とが当接する位置に酸化被膜が形成されても、スイッチノブ２のＯＮ位置とＯＦＦ位置とが切り替えられる度に、形成された酸化被膜が擦られることにより、酸化被膜を除去することができる。従って、スイッチノブ２の操作の度に、バルブ側当接部２２１、電源側当接部２２２及びバスバ４に形成された酸化被膜を広い範囲で除去することができ、導通の安定性を維持することができる。
【００３３】
また、ハウジングＨには導通部２２に向かって凸に形成された凸部５が設けられていることから、スイッチノブ２のＯＮ位置とＯＦＦ位置とが切り替えられる際に、バルブ側山部２２１ａ及び電源側山部２２２ａが凸部５を乗り越えることにより、ばね２３の復元力が大きくなる。従って、ＯＮ位置とＯＦＦ位置とが切り替えられる際に、操作部２１の揺動動作とばね２３の復元力とにより、導通部２２の操作部２１に対する揺動方向をより確実に切り替えることができる。
【００３４】
また、操作部２１の貫通孔２１３に導通部２２の係止片２２３ａ，２２４ａが係止されることで導通部２２が操作部２１に取り付けられていることから、操作部２１に対して導通部２２が揺動しても導通部２２が操作部２１から外れることを防止することができる。
【００３５】
なお、本発明は、前記実施形態に限定されるものではなく、本発明の目的が達成できる他の構成等を含み、以下に示すような変形等も本発明に含まれる。
【００３６】
例えば、前記実施形態においては、スイッチ構造１は、車両の室内照明灯に用いられていたが、他の電気機器のＯＮ状態とＯＦＦ状態とを切り替えるスイッチ構造に用いてもよい。
【００３７】
また、導通部２２がばね２３により付勢されていたが、導通部２２はばね２３以外の付勢手段により付勢されていてもよい。
【００３８】
また、凸部５はハウジングＨと一体に形成されていたが、スイッチノブ２のＯＮ位置とＯＦＦ位置とが切り替えられる際に、導通部２２が操作部２１に近づくことによりばね２３を収縮させることができればよく、凸部５がバスバ４と一体に形成されていてもよい。
【００３９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００４０】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４１】
１        スイッチ構造
２        スイッチノブ
３        レンズ
４        バスバ
５        凸部
２１      操作部
２２      導通部
２３      ばね（付勢手段）
２１２    側壁
２１３    貫通孔
２２１    バルブ側当接部（当接部）
２２２    電源側当接部（当接部）
２２３    一方側延設部（延設部）
２２４    他方側延設部（延設部）
２２１ａ  バルブ側山部（山部）
２２２ａ  電源側山部（山部）
２２３ａ，２２４ａ  係止片
【図１】
2015118839.tif 000003
【図２】
2015118839.tif 000004
【図３】
2015118839.tif 000005
【図４】
2015118839.tif 000006
【図５】
2015118839.tif 000007
【図６】
2015118839.tif 000008
【図７】
2015118839.tif 000009
【図８】
2015118839.tif 000010